(57)【要約】【課題】施工現場で必要に応じて任意の幅の建築用装飾板を得ることができ、しかもどのようなサイズの建築用装飾板であっても安価に提供することを課題とする。【解決手段】縦長本体２の幅方向両側における縦長縁３にそれぞれ同一の装飾４、４が形成され、縦長本体２を任意幅に裁断分割することでそれぞれの分割片を目的の装飾板として使用できるようにされてなる。【選択図】  図１
2005076381.tif 000002
【特許請求の範囲】
【請求項１】
縦長本体の幅方向両側における縦長縁にそれぞれ同一の装飾が形成され、前記縦長本体を任意幅に裁断分割することでそれぞれの分割片を目的の装飾板として使用できるようにした建築用装飾板。
【請求項２】
請求項１の建築用装飾板において、縦長本体の長さ方向の端部に、幅方向に所定間隔毎に切断線位置決用ピンを差込めるピンホールが形成されてなる建築用装飾板。
【請求項３】
請求項１の建築用装飾板において、縦長本体の裏面に長さ方向にノッチ溝が幅方向に一定間隔毎に形成されてなる建築用装飾板。
【発明の詳細な説明】
【技術分野】
【０００１】
この発明は建築用装飾板に関する。
【背景技術】
【０００２】
従来、木造建築の外壁の最終的な仕上げ施工として、図１４に示すように屋根けらば部Ｐを破風板１９ａで覆い、あるいは図１５に示すように軒先部Ｑを鼻隠板１９ｂで覆い、屋根Ｒ周辺の外観を整えることが行われる。
【０００３】
また、二階建て建築物の場合は、図１４、図１６に示すように一階部分１７と二階部分１８との壁面の境目Ｔに幕板１９ｃを張り付け、建物の壁面外観にアクセントを付けることが広く行われている。
【０００４】
ところで、上記破風板１９ａ、鼻隠板１９ｂあるいは幕板１９ｃなどは、細長い板状体を基体とし、端縁や表面に種々の装飾を施して形成されたものが使用されているが、これらの装飾板は例えば、図１７に断面を示すように幅の最も広いもの２０ａから最も狭いもの２０ｄまで建築物のモジュールにより数種類のものが用意され、建築物の大きさにあわせて、それぞれ対応する幅の装飾板２０ａ〜２０ｂが使用されていた。（非特許文献１）
【非特許文献１】クボタ屋根材総合カタログ  ２００２年２月現在「２００２  ＲＯＯＦ  ＭＡＴＥＲＩＡＬＳ」第１１５頁所載「軒先部」「けらば部」の図面
【発明の開示】
【発明が解決しようとする課題】
【０００５】
しかしながら、上記各種サイズの建築用装飾板は、装飾縁や表面模様が同じであっても異なるサイズ毎に製造する必要があり、製造に手間がかかるほか、使用頻度の低いサイズの建築用装飾板の場合、少量生産となるので同一装飾であるにも係わらず製造コストがかなり上昇してしまう問題があった。
【０００６】
また、図１７に示す建築用装飾板のうち、もっとも幅の広い建築用装飾板２０ａの装飾の設けられていない側の縁２１を切断除去することで、それより幅の狭い建築用装飾板２０ｂ〜２０ｄとして使用することが考えられるが、実施するには図１８で示すように細幅部分２２を建築用装飾板２０ａから切断しなければならず、このように幅の狭い部分を長尺の直線状に切除していくのは熟練を要し、施工は比較的困難となる問題があった。
【０００７】
この発明は上記問題を解消し、施工現場で必要に応じて任意の幅の建築用装飾板を得ることができ、しかもどのようなサイズの建築用装飾板であっても安価に提供することを課題としてなされたものである。
【課題を解決するための手段】
【０００８】
即ち、上記課題を解決するためこの発明は、縦長本体の幅方向両側における縦長縁にそれぞれ同一の装飾が形成され、前記縦長本体を任意幅に裁断分割することでそれぞれの分割片を目的の装飾板として使用できるようにしたものである。
【発明の効果】
【０００９】
両側に同一の装飾縁が形成されているので、幅方向中心線と平行な線で二分した場合、何れの切断片も建築用装飾板として使用可能であり、一種のものさえ成形しておけば、任意の幅の建築用装飾板を施工現場で調整することが可能となる。
【発明を実施するための最良の形態】
【００１０】
（実施の形態１）
次に、この発明の実施の形態である建築用装飾板について説明する。
【００１１】
図１は、この発明の実施の形態１である建築用装飾板の正面図、図２は図１の右側面図、図３は同じく背面図である。
この発明の実施の形態１である建築用装飾板１は、繊維補強セメントなどで形成され、縦長本体２の幅方向両側の縦長縁３、３に同一の装飾縁４、４が形成されている。
【００１２】
なお、上記装飾縁４、４は、抄造法などで成形された板状体の両側縁の表面をルーター（図示せず）などで多段状に研削して仕上げられたもので、装飾としてはこれ以外の方法、例えばプレスなどで付したものでも良い。
【００１３】
また模様の種類や凹凸形状などは図示のものに限らず、任意なものとする事ができる。
そして、上記の建築用装飾板１は、例えば、幅方向中心線５と平行な線６で任意の幅に裁断することで、図４に示すように一側の装飾縁４を目的の装飾に使用可能に構成されている。
【００１４】
なお、上記において、一方の装飾縁４と他方の装飾縁４との何れも使用可能であり、同一幅ｂに裁断することで、同じ装飾板が二枚得られ、また図４に示すように異なる幅ｂ１、ｂ２に裁断することで、幅ｂ１の一方を図５に示すように破風板１９ａ、あるいは鼻隠１９ｂとして、幅ｂ２の他方を図６に示すように幕板１９ｃとして使用するといったこともできる。なお、図中２３は縦目地ジョイナー材、２４は縦胴縁材、２５は防水シート、２６は壁下地材、２７は間柱を示す。
【００１５】
したがって、この建築用装飾板１によれば、一枚の建築用装飾板１によって各種幅の異なる装飾板を任意に切り出すことができ、特に使用頻度の少ない幅の建築用装飾板であっても使用頻度の高い建築用装飾板と同等の使用頻度で使用できることになり、非常に経済的な実施が可能となる。
（実施の形態２）
図７は実施の形態２の建築用装飾板１の裏面の要部拡大斜視図であり、縦長本体２の長さ方向端面７に、幅方向に所定間隔Ｓ毎に、切断線位置決め用ピン８を差し込めるピンホール９…が形成されている。
【００１６】
なお、上記ピンホール９を設ける間隔Ｓは、建築物のモジュールに対応した最小単位寸法、例えば３cmごとなどとされ、また、図８に示すように建築用装飾板１裏面の長さ方向端縁７ａに沿って設けても良い。
このピンホール９は、例えば墨壺(図示せず)で使用される墨線１０の始端に係止されるピン８が差し込み固定できるようにしたもので、繊維補強セメント板のような針の刺し難い硬質材質であっても容易に長尺の切断線を描くことが出来るのである。
（実施の形態３）
図９は、実施の形態３の建築用装飾板の背面図である。
【００１７】
実施の形態３の建築用装飾板１は、裏面１２の幅方向に一定間隔Ｓ毎に長手方向に連続するノッチ溝１６…１６が幅方向に一定間隔毎に形成されている。
このノッチ溝１６の幅方向の一定間隔も、建築物のモジュールに対応した最小単位寸法とされ、具体的には３センチ毎などとされる。また、表面側には図１、図２に示したのと同様な装飾が設けられる。
【００１８】
ノッチ溝１６は図１０に一部拡大して示すように望ましくは溝内壁１６ａ、１６ａが平行な面を有するように形成され、この溝内壁１６ａ、１６ａによって円板鋸１３の回転刃１４が真っ直ぐにガイドされるように構成されている。
【００１９】
このノッチ溝１６は、建築用装飾板表面側の装飾縁４、４を研削処理する工程において、裏面側に並列した円板鋸（図示せず）の刃先をわずかに当接させることなどにより、建築用装飾板の実用強度を損なわない深さに形成される。なお、図示例のノッチ溝１６…は説明のため深さが強調されているが、実際に形成する場合は建築用装飾板として強度を損なわない程度の浅い溝とされる。
【００２０】
したがって、目的幅の建築用装飾板を切り出す場合、合致する位置のノッチ溝１６を選び、このノッチ溝１６に円板鋸１３の回転刃１４を沿わせて切り進んで行けば、ノッチ溝の内側面１６ａ、１６ａにより刃が真っ直ぐに案内されるので直線状の切断縁が容易に得られ、美麗な端面を得ることができる。
【００２１】
この場合は、切断線を描画する必要がなく、ノッチ溝に沿って切断していけばよいので施工が非常に楽になる。
さらに、この実施の形態３の建築用装飾板１の場合は、裏面２に所定間隔毎にノッチ溝１６があり壁下地との間に空間ができるので、破風板、鼻隠板、幕板などとして使用した場合、裏面に雨水が回りこんでも毛細管現象による雨水浸透が防止でき、雨水浸透した場合の乾燥性がよくなるという効果も発揮される。
（実施の形態４）
図１１は実施の形態４の建築用装飾板１の背面図であり、表面側には図１、図２と同様な装飾が設けられている。そして本体裏面１２の長さ方向端縁７ａ、７ａに、図１２に拡大断面を、また図１３に要部拡大背面図として示すように長さ方向端縁７ａ、７ａから切断工具１３の切断刃１４の幅Ｌと同等となる長さのノッチ溝１５…を幅方向に一定間隔毎に形成して構成されている。
【００２２】
なお、この一定間隔は、実施の形態２、３で述べたのと同様、建築物のモジュールに対応した最小単位寸法とされ、具体的には３センチ毎などとされる。
すなわち、この実施の形態では、実施の形態３で述べたノッチ溝１６を建築用装飾板１の全長に渡って設けることなく、長さ方向両側端のみに設けたものである。
【００２３】
この構成の場合、目的幅の建築用装飾板を切り出すために、例えば切断工具１３として電動鋸で切断する場合、その回転切断刃１４を切り込ませて行った場合、切り込み方向性の不安定な切り込み初期がこのノッチ溝１５により回転刃１４がガイドされ、以後は円板鋸１４自身の方向支持性により真っ直ぐに切断されていき、美麗な切断線を得ることができる。
【００２４】
なお、上記切断工具１３による切断に先立ち、対応するノッチ１５、１５間に墨線（図示せず）を掛け渡し、位置決めした後に墨線をはじくことで、目的の切断線を刻線することもできる。
【００２５】
なお、図示例はピンホール９の設けられていないものを示しているが、図１４に示したようにノッチ溝１５…を設けた建築用装飾板１にピンホール９…を併設的に形成しても良い。
【図面の簡単な説明】
【００２６】
【図１】この発明の実施の形態１である建築用装飾板の正面図である。
【図２】実施の形態１である建築用装飾板の側面図である。
【図３】この発明の実施の形態１である建築用装飾板の背面図である。
【図４】実施の形態１である建築用装飾板の使用状態説明図である。
【図５】実施の形態１である建築用装飾板の使用状態説明図である。
【図６】実施の形態１である建築用装飾板の他の使用状態説明図である。
【図７】この発明の実施の形態２である建築用装飾板の要部斜視図である。
【図８】この発明の実施の形態２である建築用装飾板の他の構成例の要部斜視図である。
【図９】この発明の実施の形態３である建築用装飾板の背面図である。
【図１０】図９のＢ−Ｂ線矢視断面図である。
【図１１】この発明の実施の形態３である建築用装飾板の背面図である。
【図１２】図１１のＡ−Ａ線矢視断面図である。
【図１３】この発明の実施の形態３である建築用装飾板の要部拡大背面図である。
【図１４】この発明の対象となる建築物の説明斜視図である。
【図１５】従来の軒先部の構造を示す要部断面図である。
【図１６】従来の一階と二階との境界部分の幕板の構成を示す要部断面図である建築用装飾板の背面図である。
【図１７】従来使用されている建築用装飾板の寸法を示した図である。
【図１８】従来使用されている建築用装飾板の寸法改良手段を示した図である。
【符号の説明】
【００２７】
１    建築用装飾板
２    縦長本体
３    幅方向両側の縦長縁
４    装飾縁
５    幅方向中心線
６    平行な線
７    長さ方向端面
８    位置決め用ピン
９    ピンホール
１０    墨線
１３    切断工具
１４    切断刃
１５    ノッチ溝
１６    ノッチ溝
【図１】
2005076381.tif 000003
【図２】
2005076381.tif 000004
【図３】
2005076381.tif 000005
【図４】
2005076381.tif 000006
【図５】
2005076381.tif 000007
【図６】
2005076381.tif 000008
【図７】
2005076381.tif 000009
【図８】
2005076381.tif 000010
【図９】
2005076381.tif 000011
【図１０】
2005076381.tif 000012
【図１１】
2005076381.tif 000013
【図１２】
2005076381.tif 000014
【図１３】
2005076381.tif 000015
【図１４】
2005076381.tif 000016
【図１５】
2005076381.tif 000017
【図１６】
2005076381.tif 000018
【図１７】
2005076381.tif 000019
【図１８】
2005076381.tif 000020